(57)【要約】【課題】例えばＤＶＤ等の記録媒体に対して情報の記録や再生を行う記録媒体処理装置において、予備ディスクの収納や交換が簡単に行えるようにし、中断時間を短くする。【解決手段】記録再生装置（１００）は、第一のディスクを装着可能なディスクテーブル（１０１）と、ディスクテーブルに装着された第一のディスクに対する情報記録又は情報再生する手段（１０２）と、ディスクテーブルに装着された第一のディスクを取り外すために開閉する蓋部（１０３）と、蓋部に設けられ第二のディスクを挿入可能な開口部（１０４）と、開口部から挿入された第二のディスクを保持するディスク保持機構（１０５）と、第二のディスクの保持を開放させて、ディスクテーブルに装着させる可動式予備ディスクホルダ（１０６）と、を備える。【選択図】図１
2008226392.tif 000002
【特許請求の範囲】
【請求項１】
装着された第一の記録媒体に対して記録及び再生のうち少なくとも一方の処理を行う処理手段と、
開閉可能であると共に、閉じた状態で、前記装着された第一の記録媒体を覆い、開いた状態で、前記装着された第一の記録媒体を前記処理手段から取り外すことを可能ならしめる蓋部と、
前記蓋部が閉じている状態で、前記第一の記録媒体の後に前記処理を行うための第二の記録媒体を、予備の記録媒体として挿入可能な開口部と
を備えることを特徴とする記録媒体処理装置。
【請求項２】
前記開口部は、前記第二の記録媒体を前記処理手段に装着するための待機位置へ、前記第二の記録媒体を挿入可能に構成されていることを特徴とする請求項１に記載の記録媒体処理装置。
【請求項３】
前記開口部を介して挿入された前記第二の記録媒体を、前記待機位置から前記処理手段に装着させる記録媒体装着機構を更に備えることを特徴とする請求項２に記載の記録媒体処理装置。
【請求項４】
前記開口部を介して挿入された第二の記録媒体を、前記待機位置にて保持する記録媒体保持機構を更に備え、
前記記録媒体装着機構は、前記保持された第二の記録媒体を、前記記録媒体保持機構から開放させると共に前記処理手段に装着させる
ことを特徴とする請求項３に記載の記録媒体処理装置。
【請求項５】
前記開口部は、前記蓋部に設けられていることを特徴とする請求項１から4のいずれか一項に記載の記録媒体処理装置。
【請求項６】
前記記録媒体装着機構は、前記蓋部に設けられていることを特徴とする請求項３に記載の記録媒体処理装置。
【請求項７】
前記記録媒体保持機構は、前記蓋部に設けられていることを特徴とする請求項４に記載の記録媒体処理装置。
【請求項８】
前記記録媒体装着機構は、
前記挿入された第二の記録媒体を保持するため揺動する複数の第一のアームと、
前記保持された第二の記録媒体を前記処理手段に向かって可動させる可動機構と、
前記第一のアームの揺動支点と共通の揺動支点を持ち前記第一のアームと連動して揺動する複数の第二のアーム及び前記第二の記録媒体の保持を開放させるため前記第二のアームの揺動を発生させるカム機構と
を備えることを特徴とする請求項３又は６に記載の記録媒体処理装置。
【発明の詳細な説明】
【技術分野】
【０００１】
本発明は、例えばＤＶＤ等のディスク状の記録媒体に対して情報の記録及び再生のうち少なくとも一方の処理を行う記録媒体処理装置に関し、特に、例えば予備ディスクを収納保持する予備ディスクホルダを備えた記録媒体処理装置に関する。
【背景技術】
【０００２】
再生装置の蓋の裏面に予備ディスクを収納できる予備ディスク収納部を設ける構成が提案されている。これにより、１枚のディスクをディスクプレーヤのターンテーブルにセットし、もう1枚のディスクを予備ディスク収納部にセットすれば、合計２枚のディスクをディスクプレーヤとともに持ち運ぶことができる（特許文献１参照）。
【０００３】
また、本体部に開閉可能に取り付けた蓋部に、ディスクを装着保持する予備ディスクホルダを設け、前記蓋部を開けずに行う操作により、前記予備ディスクホルダに装着保持されたディスクを前記ディスクテーブルに装着する予備ディスク押し出し手段を有する構成が提案されている。これにより、予備のディスクを傷や埃が付くことなく携帯が可能となり、また、予備ディスク押し出し手段を有するので、蓋部を開けずに行う操作により、予備ディスクホルダに装着保持されたディスクがディスクテーブルに装着される。これにより、第３のディスクの収納場所を必要とせずに随時交換ができると共に、交換の手間がかからない。（特許文献２参照）。
【０００４】
【特許文献１】実開平５−７３７９３号公報
【特許文献２】特許第３０３７３１０号公報
【発明の開示】
【発明が解決しようとする課題】
【０００５】
しかしながら、上述した特許文献１の再生装置では、本体部に装着された１枚目のディスクに対して情報再生を終了してから、蓋を開けた上で、予備ディスクホルダに収納された２枚目のディスクと１枚目のディスクを交換する。このため、２枚目のディスクに対して情報再生を開始するまでの作業工程が多いので、1枚目のディスクに対して情報再生を終了から２枚目のディスクに対して情報再生を開始までの時間（以降、中断時間と呼ぶ）が非常に長い。しかも、このような交換に先行して行われる、予備ディスクを予備ディスクホルダに収納する動作についても、蓋を開ける動作を伴う。このため、予備ディスクの収納を、情報記録中に行うことは困難或いは不可能であるという技術的問題点を有している。
【０００６】
他方、特許文献２の再生装置においても同様に、予備ディスクの収納は、蓋を開けて行われるので、情報記録中に行うことは困難或いは不可能であるという技術的問題点を有している。
【０００７】
本発明は、例えば上述した従来の問題点を鑑みなされたものであり、例えば予備ディスクの収納や交換が簡単に行え、中断時間を短くすることを可能とならしめる記録媒体処理装置を提供することを課題とする。
【課題を解決するための手段】
【０００８】
上記課題を解決するために、請求項１に記載の記録媒体処理装置は、装着された第一の記録媒体に対して記録及び再生のうち少なくとも一方の処理を行う処理手段と、開閉可能であると共に、閉じた状態で、前記装着された第一の記録媒体を覆い、開いた状態で、前記装着された第一の記録媒体を前記処理手段から取り外すことを可能ならしめる蓋部と、前記蓋部が閉じている状態で、前記第一の記録媒体の後に前記処理を行うための第二の記録媒体を、予備の記録媒体として挿入可能な開口部とを備える。
【０００９】
本発明の作用及び他の利得は次に説明する実施するための最良の形態から明らかにされる。
【発明を実施するための最良の形態】
【００１０】
以下、発明を実施するための最良の形態としての本発明の実施形態に係る記録媒体処理装置について説明する。
【００１１】
（記録媒体処理装置の実施形態）
本発明の記録媒体処理装置に係る実施形態は、装着された第一の記録媒体に対して記録及び再生のうち少なくとも一方の処理を行う処理手段と、開閉可能であると共に、閉じた状態で、前記装着された第一の記録媒体を覆い、開いた状態で、前記装着された第一の記録媒体を前記処理手段から取り外すことを可能ならしめる蓋部と、前記蓋部が閉じている状態で、前記第一の記録媒体の後に前記処理を行うための第二の記録媒体を、予備の記録媒体として挿入可能な開口部とを備える。
【００１２】
本発明の記録媒体処理装置に係る実施形態によれば、その動作時には、例えばポータブルビデオカメラ等に内蔵されるＤＶＤレコーダなどの処理手段によって、例えばＤＶＤである、装着された第一の記録媒体に対して、記録又は再生が行われる。本発明に係る「記録媒体処理装置」とは、記録及び再生のうち少なくとも一方を行う装置を意味し、記録装置、再生装置、並びに、記録及び再生装置のうちのいずれかを意味する。また、ポータブル型であると、次に説明する本願発明の効果が最大限に発揮されるが、据え置き型であっても、次に説明する本願発明の効果は相応に発揮される。このような記録又は再生の際には、処理手段に装着された第一の記録媒体は、閉じた状態にある蓋部によって覆われており、外部環境から第一の記録媒体が保護されている。
【００１３】
ここで本実施形態では特に、蓋部が閉じている状態であっても、第二の記録媒体を挿入可能な開口部を備えるので、第一の記録媒体に対して記録又は再生を行っている最中に、開口部から第二の記録媒体を、予備の記録媒体として挿入できる。典型的には、処理手段に装着されている第一の記録媒体に対向しており、第一の記録媒体が取り外されれば即時に装着可能である「待機位置」へと挿入される。又は、開口部から見て、そのような待機位置若しくは即時装着可能な位置への途中に当たる、中間位置へと挿入される。
【００１４】
その後、記録すべき記録媒体を、第一の記録媒体から第二の記録媒体に交換する際には、蓋部を開ければ、第一の記録媒体を簡単に取り外すことができる。続いて、既に予備として挿入してある第二の記録媒体を、例えば蓋を閉めた後に、処理手段へと簡単に装着できる。この際、既に予備として挿入されている第二の記録媒体を、蓋を閉めたままで装着できるようにすれば、なお更に簡単に装着できる。或いは、既に予備として挿入されている第二の記録媒体を、蓋を開けた状態で、処理手段に装着できるようにしても、上述の如き第一の記録媒体の記録又は再生最中に、第二の記録媒体を予備として挿入できるという本願独自の効果は相応に発揮される。
【００１５】
その後、蓋部に設けられた開口部から、他の記録媒体を、新たな第二の記録媒体として挿入してもよい。つまり、本実施形態においては、記録媒体の交換操作があると、その後は、それまで予備であった第二の記録媒体が、記録又は再生の対象である、新たな第一の記録媒体とされるので、開口部を利用しての挿入操作が以後同様に繰り返して実行可能となる。
【００１６】
尚、例えば複数の予備ディスクが複数の予備ディスクホルダに収容される如くに、第二の記録媒体の他にも、他の記録媒体が、第二の記録媒体と同時に又は相前後して、挿入されてもよい。即ち、予備の記録媒体は、一つに限られない。
【００１７】
このように、第一の記録媒体に対する情報の記録又は再生を終了し、蓋部を開けて第一の記録媒体を取り外した後、既に予備として挿入済みである第二の記録媒体を、第一の記録媒体に換えて装着できる。よって、第一の記録媒体に対する情報の記録又は再生を終了させてから、第二の記録媒体に対する情報の記録又は再生を開始するまでの作業工程を減らし、中断時間を短くすることができる。
【００１８】
しかも、このような第二の記録媒体を予備として挿入する操作を、蓋を閉めたままで実行可能であるので、即ち、第一の記録媒体に対する情報の記録又は再生を中断せずに挿入することが可能であるので、実践上大変有利となる。より具体的には、一般に、予備が必要となるのは、記録量が予想より多くなってきたり、記録容量の残量が予想より少なくなってきたりの場合が多く、記録の最中に予備が必要となることが実践上は非常に多い現実に鑑みれば、このように中断を要することなく第二の記録媒体を予備として挿入可能とする構成は、極めて有利とある。
【００１９】
以上のように、本実施形態に係る記録媒体処理装置によれば、例えば予備ディスクの収納や交換が簡単に行え、中断時間を短くできる。
【００２０】
本発明の記録媒体処理装置に係る実施形態の一の態様では、前記開口部は、前記第二の記録媒体を前記処理手段に装着するための待機位置へ、前記第二の記録媒体を挿入可能に構成されている。
【００２１】
この態様によれば、第一の記録媒体に対して記録又は再生を行っている最中に、開口部から第二の記録媒体を、予備の記録媒体として待機位置へと挿入できる。ここに「待機位置」とは、開口部から処理装置における記録又は再生が行われる装着位置へ到る経路途中にある位置であって、次に処理手段に装着されるのを待つ位置を意味する。典型的には、予備としての第二の記録媒体が蓋内から処理装置に到る途中で何らかの機構により保持、支持等により固定される位置を意味するが、移動途中であっても、即ち大なり小なり動いていてもかまわない。例えば、予備ディスクホルダが、第二の記録媒体を予備ディスクとして収納する位置が、このような待機位置に相当する。好ましくは、待機位置は、処理手段に装着されている第一の記録媒体に対向しており、第一の記録媒体が取り外されれば即時に装着可能な位置とされる。
【００２２】
その後、記録すべき記録媒体を、第一の記録媒体から第二の記録媒体に交換する際には、蓋部を開けて第一の記録媒体を取り外した後に、既に待機位置へと挿入してある第二の記録媒体を処理手段へと簡単に装着できる。
【００２３】
この待機位置への挿入に係る態様では、前記開口部を介して挿入された前記第二の記録媒体を、前記待機位置から前記処理手段に装着させる記録媒体装着機構を更に備えてもよい。
【００２４】
このように構成すれば、第一の記録媒体から第二の記録媒体に交換する際には、蓋部を開けて第一の記録媒体を取り外した後に、既に待機位置へと挿入してある第二の記録媒体を、記録媒体装着機構によって、処理手段へと簡単に装着できる。例えば、記録媒体装着機構によって、待機位置から処理手段が有する装着台、装着部材等の方へ、第二の記録媒体を押し出す或いは押し付けることで、装着できる。このような記録媒体装着機構による装着動作の原動力は、手動での押圧によるもの、弾力によるもの、アクチュエータによるもの等でもよい。
【００２５】
この記録媒体装着機構を備える態様では更に、前記開口部を介して挿入された第二の記録媒体を、前記待機位置にて保持する記録媒体保持機構を更に備え、前記記録媒体装着機構は、前記保持された第二の記録媒体を、前記記録媒体保持機構から開放させると共に前記処理手段に装着させるように構成してもよい。
【００２６】
このように構成すれば、第一の記録媒体に対して記録又は再生を行っている最中に挿入された第二の記録媒体は、記録媒体保持機構によって、待機位置にて保持される。
【００２７】
その後、記録すべき記録媒体を、第一の記録媒体から第二の記録媒体に交換する際には、蓋部を開けて第一の記録媒体を取り外した後に、既に待機位置にて記録媒体保持機構に保持されている第二の記録媒体を、記録媒体装着機構によって記録媒体保持機構から開放させることで、処理手段へと簡単に装着できる。
【００２８】
本発明の記録媒体処理装置に係る実施形態の他の態様では、前記開口部は、前記蓋部に設けられている。
【００２９】
この態様によれば、蓋部と開口部とを一体化することができる。つまり、記録媒体処理装置の小型化に寄与することができる。
【００３０】
上述した記録媒体装着機構を備えた態様では、前記記録媒体装着機構は、前記蓋部に設けられてよい。
【００３１】
このように構成すれば、蓋部と記録媒体装着機構とを一体化することができる。つまり、記録媒体処理装置の小型化に寄与することができる。
【００３２】
上述した記録媒体保持機構を備えた態様では、前記記録媒体保持機構は、前記蓋部に設けられてよい。
【００３３】
このように構成すれば、蓋部と記録媒体保持機構とを一体化することができる。つまり、記録媒体処理装置の小型化に寄与することができる。
【００３４】
上述した記録媒体装着機構を備えた態様では、前記記録媒体装着機構は、前記挿入された第二の記録媒体を保持するため揺動する複数の第一のアームと、前記保持された第二の記録媒体を前記処理手段に向かって可動させる可動機構と、前記第一のアームの揺動支点と共通の揺動支点を持ち前記第一のアームと連動して揺動する複数の第二のアーム及び前記第二の記録媒体の保持を開放させるため前記第二のアームの揺動を発生させるカム機構とを備えてよい。
【００３５】
このように構成すれば、記録媒体保持機構における、記録媒体を保持する機構と記録媒体を開放する機構との２つの機構を、１つの機構に集約することができる。つまり、記録媒体処理装置の小型化に寄与することができる。
【００３６】
本実施形態の作用及び他の利得は次に説明する実施例から明らかにされる。
【００３７】
以上詳細に説明したように、本発明の記録媒体処理装置に係る実施形態によれば、処理手段、蓋部及び開口部を備えるので、記録媒体を交換する際には、予備の記録媒体として開口部を介して挿入済みである第二の記録媒体を第一の記録媒体に換えて装着でき、例えば予備ディスクの収納や交換が簡単に行え、中断時間を短くできる。
【実施例】
【００３８】
以下、図面を参照して本発明の好適な実施例について説明する。
【００３９】
（記録再生装置の実施例）
（１）記録再生装置の構成
最初に図１から図４を参照して、本発明に係る「記録媒体処理装置」の一例としての記録再生装置の構成について説明する。図１は本実施例に係る記録再生装置１００の展開図である。ここで、図１（ａ）は記録再生装置１００の上面図であり、図１（ｂ）は図１（ａ）の切断箇所１ｂを矢印の方向から見た断面図であり、図１（ｃ）は図１（ａ）の切断箇所１ｃを矢印の方向から見た断面図である。
【００４０】
図１（ａ）に示すように、記録再生装置１００は、その上面側に蓋部１０３を備える。
【００４１】
図１（ｂ）及び図１（ｃ）に示すように、記録再生装置１００は、本発明に係る「第一の記録媒体」の一例である第一のディスクを装着可能なディスクテーブル１０１、ディスクテーブル１０１に装着された第一のディスクに対して情報を記録若しくは再生する、本発明に係る「処理手段」の一例である記録再生手段１０２、ディスクテーブル１０１と記録再生手段１０２とを少なくとも内蔵する本体１５０、ディスクテーブル１０１に装着された第一のディスクを取り外すために開閉する蓋部１０３、本体１５０と蓋部１０３に固定され、蓋部１０３を開閉するための回転軸をもつヒンジ１１８、本発明に係る「第二の記録媒体」の一例である第二のディスクを挿入可能な開口部１０４、並びに、開口部１０４から挿入された第二のディスクを待機位置にて保持する、本発明に係る「記録媒体保持機構」の一例であるディスク保持機構１０５を備える。ディスクテーブル１０１は、その上面側からディスクがセットされると、ディスクのセンターホール部分をクランプし、この状態で回転可能に構成されている。
【００４２】
次に、図２を参照して、蓋部１０３について説明する。ここで、図２（ａ）は蓋部１０３をディスクテーブル１０１側から見て、開口部１０４を左側に配置した底面図である。図２（ｂ）は図２（ａ）の切断箇所１ｂを矢印の方向から見た断面図であり、図２（ｃ）は図２（ａ）の切断面１ｃを矢印の方向から断面図である。
【００４３】
図２（ａ）乃至（ｃ）に示すように、本実施例に係る蓋部１０３は、その一部が蓋部１０３の天面にボタン状に飛び出している可動式予備ディスクホルダ１０６、及び蓋部１０３の蓋本体１０３と可動式予備ディスクホルダ１０６との間を付勢している蓋部バネ１０７を備える。ここで、蓋部バネ１０７は弾性体であれば他のものを代用しても構わない。この構造により、可動式予備ディスクホルダ１０６をディスクテーブル１０１に対して垂直方向に可動させることができる。尚、蓋部１０３は、蓋部バネ１０７に代えて又は加えて、可動式予備ディスクホルダ１０６を垂直方向に可能させる、電気式、電磁気式又は油圧式等のアクチュエータを備えてもよい。
【００４４】
次に、図２（ｂ）に示すように、本実施例に係る蓋部１０３は、ボタン状の突出部１０８とカム機構１１４を備える。
【００４５】
次に、図２（ａ）に示すように、本実施例に係る蓋部１０３は可動式予備ディスクホルダ１０６を備え、その可能式ディスクホルダ１０６は３本の支柱１１１及び３本のアームバネ１１２を備え、支柱１１１とアームバネ１１２とにガイドレバー１１０が繋がっている。ガイドレバー１１０はガイドローラー１０９を備えており、ガイドローラー１０９は案内溝と回転機構とを有しており、その回転機構の支点はガイドレバー１１０に備えておりディスクテーブル１０１と平行な面内で回転する。シャフト１１３は支柱１１１と繋がっている。また、ディスク保持機構１０５は、ガイドレバー１１０、ガイドローラー１０９、支柱１１１、シャフト１１３、及びアームバネ１１２を備える。なお、ガイドローラー１０９は、回転機構が無く案内溝だけを備えているものでもよい。その場合、ディスクを保持する際のディスクと接する部分を長くすると、保持の安定性を向上することができる。
【００４６】
次に、図２（ｄ）は図２（ｂ）のカム機構１１４の拡大図である。図２（ｄ）で示すように、カム機構１１４にはカム機構ストッパー部１１５、カム機構揺動部１１６及びカム機構チャッキング部１１７を備える。
【００４７】
次に、図３を参照して、ディスク保持機構１０５について説明する。ガイドレバー１１０とシャフト１１３とは支柱１１１を支点として連動して揺動し、なおかつ、ディスクテーブル１０１と平行な面内で揺動する。つまり、例えばガイドレバー１１０が支柱１１１を支点として時計回りに回転すると、シャフト１１３も連動して時計回りに回転する。また、ガイドレバー１１０はアームバネ１１２により可動式予備ディスクホルダ１０６とバネ付勢されている。ここで、アームバネ１１２は弾性体であれば他のもので代用しても構わない。また、アームバネ１１２は、圧縮された際に付勢するタイプのものでも、伸ばされた際に付勢するタイプのものでもよい。
【００４８】
なお、本実施例のディスク保持機構１０５は３本の場合を説明したが、３本より多くても構わない。また、２本のディスク保持機構によりディスクを両側から挟持するように構成することも可能である。
【００４９】
次に、図４を参照して、記録再生手段１０２について説明する。図４（ａ）に示す通り、記録再生手段１０２は、ディスクテーブル１０１に対して本体１５０の内側に備えられている。図４（ｂ）に示す通り、記録再生手段１０２では、ディスクテーブル１０１に装着される、光ディスク等のディスク１２０を回転させるためスピンドルモーター２０１を備え、ディスク１２０に対して情報を記録又は再生するため光源２０２を備える。光源２０２から出射された光は回折格子２０３を通過し、光路分岐手段２０５を反射した後、対物レンズ２０４によりディスク１２０上に集光点を結像する。ディスク１２０からの反射光は、対物レンズ２０４を再度通過し、光路分岐手段２０５を通り、検出器２０６にて検出される。そして、検出器２０６からの信号をもとに、ＴＥ演算回路２０７によりトラッキングエラー信号を生成し、ＦＥ演算回路２０８によりフォーカスエラー信号を生成し、トラッキング駆動回路とフォーカシング駆動回路にそれぞれ送られ、アクチュエータによる対物レンズ２０４の位置制御に用いる。そして、ディスク１２０に情報を記録する場合は、記録信号をもとに光源２０２の出射光を変調する。ディスク１２０から情報を再生する場合は、検出器２０６からの信号をもとにＲＦ演算回路２０９により再生信号を生成する。
【００５０】
なお、本実施例では、記録媒体に対して光記録又は光再生による記録再生手段１０２の一例を挙げたが、本発明では光磁気などの他の方式による記録再生手段１０２でも同様の効果が得られる。
【００５１】
（２）記録再生装置へ記録媒体を挿入または装着する動作
図５から図７を参照して、開口部１０４から第二のディスク１２０を挿入する動作の説明をする。図５乃至図７の（ａ）は蓋部１０３をディスクテーブル１０１側から見て、開口部１０４を左側に配置した底面図である。図５乃至図７の（ｂ）は図５乃至図７の（ａ）の切断箇所１ｂを矢印の方向から見た断面図であり、図５乃至図７の（ｃ）は図５乃至図７の（ａ）の切断箇所１ｃを矢印の方向から見た断面図である。そして、図５乃至図７の（ｄ）は、カム機構１１４の拡大図である。
【００５２】
図５はディスク挿入待ちの状態にある記録再生装置を示している。このとき、図５（ｄ）のように、シャフト１１３はカム機構ストッパー部１１５と接して止まっているが、離れて止まっていてもよい。その状態から第二のディスク１２０が挿入されると、開口部１０４の近くに位置する２つのディスク保持機構１０５のガイドローラー１０９の案内溝に第二のディスク１２０の外周端が接する。そこからさらに、第二のディスク１２０が開口部１０４の奥へ挿入されると、開口部１０４に近い２つのディスク保持機構１０５のガイドレバー１１０とガイドローラー１０９とが支柱１１１を支点として、蓋部１０３の外周部に近づくように揺動しアームバネ１１２が伸びる。さらに、第二のディスク１２０を奥へ挿入すると図６のように、開口部１０４の遠くに位置するディスク保持機構１０５のガイドローラー１０９の案内溝に第二のディスク１２０の外周端が接する。このとき、図６（ｄ）のようにシャフト１１３が動く。さらに、第二のディスク１２０を奥へ挿入すると図７のように、当該ディスク保持機構１０５のガイドレバー１１０とガイドローラー１０９が支柱１１１を支点として揺動し、所定の位置で第二のディスク１２０は固定される。ここでいう所定の位置とは、第二のディスク１２０を抑えるために３カ所に備えられているガイドローラー１０９とアームバネ１１２とに関して、アームバネ１１２によりガイドローラー１０９に発生する第二のディスク１２０の中心方向への力が均衡を保っている位置である。このとき、図７（ｄ）のようにシャフト１１３は止まる。
【００５３】
次に、図７から図１０を参照して、可動式予備ディスクホルダ１０６に収納された第二のディスク１２０をディスクテーブル１０１へ装着する動作を説明する。ここで、図７乃至図１０の（ａ）は記録再生装置１００を開口部１０４側から見た断面図である。図７乃至図１０の（ｂ）は図７乃至図１０の（ａ）の切断箇所１ｂを矢印の方向から見た断面図であり、図７乃至図１０の（ｃ）は図７乃至図１０の（ａ）の切断箇所１ｃを矢印の方向から見た断面図である。そして、図７乃至図１０の（ｄ）は、カム機構１１４の拡大図である。
【００５４】
図７の可動式予備ディスクホルダ１０６に第二のディスク１２０を収納した状態から、図８のように可動式予備ディスクホルダ１０６の突出部１０８を例えば手で上部から押圧すると、蓋部バネ１０７が縮みながら可動式予備ディスクホルダ１０６がディスクテーブル１０１に近づく。このとき、図８（ｄ）のように、シャフト１１３は可動式予備ディスクホルダ１０６の動きに合わせてディスクテーブル１０１の方向へ動く。さらに、突出部１０８を上部から押圧すると、図９（ｄ）のようにカム機構１１４によりシャフト１１３は揺動を生じ、支柱１１１でシャフト１１３と連動しているガイドレバー１１０も揺動を生じ、ガイドローラー１０９は蓋部１０３のさらに外周部に近づくように揺動しアームバネ１１２はさらに伸びる。その結果、ディスク保持機構１０５による第二のディスク１２０の保持は開放される。このとき、図示しないが、シャフト１１３はカム機構揺動部１１６に沿って動く。そして、さらに突出部１０８を上部から押圧すると、図９のように可動式予備ディスクホルダ１０６の一部で第二のディスク１２０をチャッキングし、ディスク装着完了となる。このとき、図９（ｄ）のように、シャフト１１３は可動式予備ディスクホルダ１０６の動きに合わせてディスクテーブル１０１の方向へ動く。この後、手を突出部１０８から離すと、図１０のように蓋部バネ１０７の弾性力により可動式予備ディスクホルダ１０６はディスク１２０から離れ、図５のディスク挿入待ちの状態に戻る。このとき、図１０（ｄ）のように、シャフト１１３は可動式予備ディスクホルダ１０６の動きに合わせてディスクテーブル１０１とは逆の方向へ動き、かつ、アームバネ１１２の弾性力によりカム機構揺動部１１６を経てカム機構ストッパー部１１５で止まる。ここで、シャフト１１３はカム機構ストッパー部１１５と接して止まっているが、離れて止まっていてもよい。
【００５５】
このように可動式予備ディスクホルダ１０６は、開口部１０４から挿入された第二のディスク１２０を保持するディスク保持機構１０５の機能と、ディスクテーブル１０１へ第二のディスクを開放する機能の２つの機能とを兼ね備えているので、記録再生装置１００の小型化に寄与している。また、蓋部１０３は、この２つの機能を一体化して備えることにより小型化に寄与している。
【００５６】
次に、図１１を参照してカム機構１１４の他の実施例を示す。図１１（ａ）のように、カム機構ストッパー部１１５を有する第二のカム機構１１８が別途存在すれば、カム機構１１４にカム機構ストッパー部１１５は不要である。また、図１１（ｂ）又は図１１（ｃ）のように、カム機構チャッキング部１１７の構造はシャフト１１３の動きを妨げなければ他の構造でも代用可能である。また、図１１（ｄ）のような構造でも代用可能である。
【００５７】
なお、カム機構揺動部１１６の傾斜する方向は、ディスク保持機構１０５のガイドレバー１１０とシャフト１１３の揺動方向とにより決定される。したがって、カム機構揺動部１１６の傾斜する方向は本実施例に限定されるものではない。
【００５８】
なお、ディスクテーブル１０１に第一又は第二のディスクが装着されているかどうかの判断として、例えば、記録再生手段１０２のディスク検出手段を用いても構わないし、ディスク検出用のセンサーを用いても構わない。可動式予備ディスクホルダ１０６のディスク開放又は装着の動作を止めるには、突出部１０８を押すことが出来ないような機構を取り付けても構わないし、ガイドレバー１１０及びシャフト１１３を止める機構を取り付けても構わない。
【００５９】
次に、ディスクテーブル１０１に装着された第一又は第二のディスク１２０を取り出す動作を説明する。蓋部１０３は、ディスクテーブル１０１に装着された第一又は第二のディスク１２０を記録再生装置１００の外部へ取り外し可能に開閉するためのものである。この蓋部１０３は、本体１５０に一部が固定されていても構わないし、固定されていなくても構わない。
【００６０】
なお、ディスクテーブル１０１に第一又は第二のディスク１２０を装着する別の方法として、蓋部１０３を開けて、例えばディスク１２０の外周端を手などで持ち、そのままディスクテーブル１０１に装着しても構わない。
【００６１】
（３）記録再生装置のディスク交換の作業工程
図１２から図１４を参照して、本発明の記録再生装置１００のディスク交換の作業工程と、第1比較例及び第２比較例の再生装置のディスク交換の作業工程とを比較する。
【００６２】
第1比較例は、実施例の構成において、開口部１を設けないと共に、可動式予備ディスクホルダ１０６を非可動式に変更して構成した再生装置である。即ち、蓋部１０３を開けることで、予備のディスクを蓋部１０３の裏側に収納しておくことができ、ディスクの交換時には、蓋部１０３を開けることで、装着中のディスクを取り外したり、予備のディスクを装着できるように構成された再生装置である。
【００６３】
第２比較例は、実施例の構成において、開口部１を設けないで構成した再生装置である。即ち、蓋部１０３を開けることで、予備のディスクを蓋部１０３の裏側に収納しておくことができ、ディスクの交換時には、蓋部１０３を開けることで、装着中のディスクを取り外すことができ、更に、蓋部１０３を閉めた後に、突出部１０８を押すことで予備のディスクを装着できるように構成された再生装置である。
【００６４】
なお、記録再生装置１００のディスクテーブル１０１には第一のディスクが既に装着され、情報を記録又は再生している状態を想定する。そして、第二のディスクは可動式予備ディスクホルダ１０６に既に収納されている状態を想定する。この状態から第一のディスクを取り外し、第二のディスクをディスクテーブル１０１へ装着し、情報の記録又は再生を開始するまでの作業工程を挙げ、その作業工程数に着目する。なお、可動式予備ディスクホルダ１０６へ取り外した第一のディスクを収納する作業工程も考慮に入れることとする。
【００６５】
そして、図１２は特にポータブル型の記録再生装置の場合であり、以下にディスク交換の作業工程を示す。
【００６６】
１番目の作業工程として、例えば本体１５０を左手で持ち、右手で第一のディスクに対する情報の記録又は再生を終了する。２番目の作業工程として、右手で蓋部１０３を開ける。３番目の作業工程として、右手でディスクテーブル１０１に載っている第一のディスクを取り出す。４番目の作業工程として、取り外した右手の第一のディスクを持ったまま、右手の空いている指又は手の甲等を使って蓋部１０３を閉める。５番目の作業工程として、取り外した右手の第一のディスクを持ったまま、右手の空いている指又は手の甲等を使って突出部１０８を押し、第二のディスクをディスクテーブル１０１に装着する。６番目の作業工程として、取り外した右手の第一のディスクをもったまま、右手の空いている指又は手の甲等を使って、第二のディスクに対する情報の記録もしくは再生を開始する。７番目の作業工程として、取り外した右手の第一のディスクを開口部１０４から挿入し、可動式予備ディスクホルダ１０６に収納する。
【００６７】
このように、第一のディスクに対する情報の記録又は再生を終了させてから、第二のディスクに対する情報の記録又は再生を開始するまでの作業工程は６工程となっている。
【００６８】
図１３は、第1比較例の再生装置の場合であり、以下にディスク交換の作業工程を示す。
【００６９】
１番目の作業工程として、例えば本体を左手に持ち、右手で第一のディスクに対する情報の再生を終了する。２番目の作業工程として、右手で蓋部を開ける。３番目の作業工程として、右手でディスクテーブルに載っている第一のディスクを取り出す。４番目の作業工程として、取り外した右手の第一のディスクを例えば、ポケットに入れる。５番目の作業工程として、右手で予備ディスクホルダの第二のディスクを取り外す。６番目の作業工程として、右手の第二のディスクをディスクテーブルに装着する。７番目の作業工程として、ポケットから第一のディスクを右手で取り出し、予備ディスクホルダに収納する。８番目の作業工程として、右手で開閉蓋を閉める。９番目の作業工程として、右手で第二のディスクに対する情報の再生を開始する。
【００７０】
このように、第一のディスクに対する情報の再生を終了させてから、予備ディスクを装着した状態で第二のディスクに対する情報の再生を開始するまでの作業工程は９工程となっている。
【００７１】
図１４は、第２比較例の再生装置の場合であり、以下にディスク交換の作業工程を示す。
【００７２】
１番目の作業工程として、例えば本体を左手に持ち、右手で第一のディスクに対する情報の再生を終了する。２番目の作業工程として、右手で蓋部を開ける。３番目の作業工程として、右手でディスクテーブルに載っている第一のディスクを取り出す。４番目の作業工程として、取り外した右手の第一のディスクを持ったまま、右手の空いている指又は手の甲等を使って開閉蓋を閉める。５番目の作業工程として、取り外した右手の第一のディスクを持ったまま、右手の空いている指又は手の甲等を使って突出部を押し、第二のディスクをディスクテーブルに装着する。６番目の作業工程として、取り外した右手の第一のディスクを持ったまま、右手の空いている指又は手の甲等を使って開閉蓋を開ける。７番目の作業工程として、右手の第一のディスクを予備ディスクホルダに収納する。８番目の作業工程として、右手で開閉蓋を閉める。９番目の作業工程として、右手で第二のディスクに対する情報の再生を開始する。
【００７３】
このように、第一のディスクに対する情報の再生を終了させてから、予備ディスクを装着した状態で第二のディスクに対する情報の再生を開始するまでの作業工程は９工程となっている。
【００７４】
つまり、本実施例のほうが、第1比較例及び第２比較例よりも作業工程数が２工程だけ少ないことが分かる。このことから、第一のディスクに対する情報の記録又は再生の終了から、第二のディスクに対する情報の記録又は再生の開始までの中断時間が短いことが分かる。
【００７５】
なお、上記の例では、予備ディスクホルダに装着するディスクをディスクテーブルから取り外した第一のディスクと想定したが、新たなディスクを装着する場合でも同様の作業工程数の削減と中断時間の短縮の効果は得られる。
【００７６】
このような中断時間の違いは、本発明を例えばポータブル型のＤＶＤカムコーダーなどに適用した場合に大きな効果を生み出す。録画済みの一枚目のディスクを一時的に予備ディスクホルダに収納し、次に録画予定の二枚目のディスクをディスクテーブルに装着させる場合も中断時間は出来るだけ少ないほうが良い。また、録画済みの一枚目のディスクをディスクケースに収納し、次に録画予定の二枚目のディスクをディスクテーブルに装着し、さらにその次に録画予定の三枚目のディスクを予備ディスクホルダに収納させる場合も中断時間は出来るだけ少ないほうが良い。中断時間が長いと大事な撮影チャンスを失ってしまうからである。
【００７７】
また、ディスク交換の作業工程数が多いと、短時間でディスク交換をしたいがために、慌てることも想定できる。本発明の実施例に係る記録再生装置の場合、ディスク交換の作業工程数が少ないうえ、二枚目のディスクに対する情報記録開始後、ゆっくりと三枚目のディスクを予備ディスクホルダに挿入することが可能なので、慌ててディスク交換をする必要もない。なお、このような効果はポータブル型の記録再生装置に限ったことではない。据置型の記録再生装置等でも片手でディスク交換をしなければならない場合、効果を生じる。
【００７８】
なお、本実施例ではディスク状の記録媒体の説明を行ったが、本発明はディスク状以外の形状の記録媒体でも同様の効果が得られる。
【００７９】
（再生装置の実施例）
図１５を参照して、本発明に係る「記録媒体処理装置」の他の一例である、再生装置１００Ｂの構成について説明する。なお、前述した図１と同様の構成については同様の参照番号を付し、それらの説明は適宜省略する。そして、図１５と前述の図１と異なる部分は、ディスクテーブル１０１に装着された第一のディスクに対して情報を再生する、本発明に係る「処理手段」の他の一例である再生手段１０２Ｂである。図１６で示されるように、再生手段１０２Ｂはディスクテーブル１０１に装着されるディスク１２０を回転させるためスピンドルモーター２０１を備え、ディスク１２０に対して情報を再生するため光源２０２を備える。光源２０２から出射された光は回折格子２０３を通過し、光路分岐手段２０５を反射した後、対物レンズ２０４によりディスク１２０上に集光点を結像する。ディスク１２０からの反射光は、対物レンズ２０４を再度通過し、光路分岐手段２０５を通り、検出器２０６にて検出される。そして、検出器２０６からの信号をもとに、ＴＥ演算回路２０７によりトラッキングエラー信号を生成し、ＦＥ演算回路２０８によりフォーカスエラー信号を生成し、トラッキング駆動回路とフォーカシング駆動回路にそれぞれ送られ、アクチュエータによる対物レンズ２０４の位置制御に用いられる。そして、検出器２０６からの信号をもとにＲＦ演算回路２０９により再生信号を生成する。
【００８０】
つまり、本発明は、情報記録を行う記録手段を有さない、情報再生を行う再生手段のみの再生装置においても適用可能である。
【００８１】
なお、本発明は、上述した実施例に限られるものではなく、請求の範囲及び明細書全体から読み取れる発明の要旨或いは思想に反しない範囲で適宜変更可能であり、そのような変更を伴う記録媒体処理装置もまた本発明の技術的範囲に含まれるものである。
【図面の簡単な説明】
【００８２】
【図１】本発明の実施例に係る記録再生装置１００の概略構成の一例を示す図である。
【図２】本発明の実施例に係る蓋部１０３についての概略構成の一例を示す図である。
【図３】本発明の実施例に係るディスク保持機構１０５の概略構成の一例を示す図である。
【図４】本発明の実施例に係るディスクテーブル１０１と記録再生手段１０２を備える本体１５０の概略構成の一例を示す図である。
【図５】本発明の実施例に係る可動式予備ディスクホルダ１０６へ記録媒体を収納させる動作の一例を示す図である。
【図６】本発明の実施例に係る可動式予備ディスクホルダ１０６へ記録媒体を収納させる動作の一例を示す図である。
【図７】本発明の実施例に係る可動式予備ディスクホルダ１０６へ記録媒体を収納させる動作の一例を示す図である。
【図８】本発明の実施例に係るディスクテーブル１０１へ記録媒体を装着させる動作の一例を示す図ある。
【図９】本発明の実施例に係るディスクテーブル１０１へ記録媒体を装着させる動作の一例を示す図ある。
【図１０】本発明の実施例に係るディスクテーブル１０１へ記録媒体を装着させる動作の一例を示す図ある。
【図１１】発明の実施例に係るカム構造１１４についての他の実施例である。
【図１２】本発明の実施例に係る記録再生装置１００のディスク交換の作業工程の一例である。
【図１３】第１比較例に係るディスク交換の作業工程の一例である。
【図１４】第２比較例に係るディスク交換の作業工程の一例である。
【図１５】本発明の実施例に係る再生装置１００Ｂの概略構成の一例を示す図である。
【図１６】本発明の実施例に係る再生手段１０２Ｂの概略構成の一例を示す図である。
【符号の説明】
【００８３】
１００  記録再生装置
１０１  ディスクテーブル
１０２  記録再生手段
１０３  蓋部
１０４  開口部
１０５  ディスク保持機構
１０６  可動式予備ディスクホルダ
１０７  蓋部バネ
１０８  突出部
１０９  ガイドローラー
１１０  ガイドレバー
１１１  支柱
１１２  アームバネ
１１３  シャフト
１１４  カム機構
１１５  カム機構ストッパー部
１１６  カム機構揺動部
１１７  カム機構チャッキング部
１１８  ヒンジ
１２０  ディスク
１５０  本体
１００Ｂ  再生装置
１０２Ｂ  再生手段
【図１】
2008226392.tif 000003
【図２】
2008226392.tif 000004
【図３】
2008226392.tif 000005
【図４】
2008226392.tif 000006
【図５】
2008226392.tif 000007
【図６】
2008226392.tif 000008
【図７】
2008226392.tif 000009
【図８】
2008226392.tif 000010
【図９】
2008226392.tif 000011
【図１０】
2008226392.tif 000012
【図１１】
2008226392.tif 000013
【図１２】
2008226392.tif 000014
【図１３】
2008226392.tif 000015
【図１４】
2008226392.tif 000016
【図１５】
2008226392.tif 000017
【図１６】
2008226392.tif 000018